【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
検索命令に応答して検索データを返す２以上のデータベースをデータソースとするデータ検索装置であって、
利用者端末を入力支援して検索要件に適合する検索要求を発行するためのプレゼンテーション構造の定義情報と、異なる検索要求間の関連性を管理するための検索要求の定義情報と、を含むデータ辞書と、
前記データ辞書で定義された前記プレゼンテーション構造に基づいて前記利用者端末を入力支援して、前記プレゼンテーション構造に基づき記述された検索要求を発行するとともに、当該検索要求に基づいて前記データベースから得られた検索結果を、前記利用者端末に対して出力するビジネスインテリジェンス部と、を含み、
異なる検索要求に対応して作成された複数の検索結果を、前記検索要求の定義情報により関連付ける
データ検索装置。
【請求項２】
前記ビジネスインテリジェンス部は、
前記利用者端末を前記データ辞書の前記プレゼンテーション構造に基づいて支援して、前記プレゼンテーション構造に基づく検索要求を発行する検索要求発行手段と、
前記検索結果をもとにレポートを作成し、前記利用者端末に対して送出するレポート出力手段と、を有する
請求項１に記載のデータ検索装置。
【請求項３】
前記ビジネスインテリジェンス部は、
複数の検索要求を実行して得られた複数の検索結果から作成された複数のレポートを順次あるいは同時に表示することができ、
前記データ辞書に含まれる異なる検索要求間の関連性を管理する前記検索要求の定義情報により、複数のレポートを相互に関連付けて操作できる
請求項２に記載のデータ検索装置。
【請求項４】
前記ビジネスインテリジェンス部は、
第１の検索要求に対して第２の検索要求を関連検索として対応付けし、
前記利用者端末において第１の検索要求を実行して第１の検索結果を表示し、その後、第１の検索結果に含まれるデータを選択して第２の検索要求へのリンクを指示することにより、
第１の検索要求に含まれている抽出条件の項目と条件値、および第１の検索結果の中から選択されたデータに対応する項目と表示値を第２の検索要求に引き継ぎ、
第２の検索要求の抽出条件に、第１の検索要求から引き継がれた項目と関連付けられた関連項目が存在する場合には、その関連項目の条件値を、第１の検索要求から引き継がれた条件値に置き換えて、第２の検索要求を実行して第２の検索結果を表示する
請求項３に記載のデータ検索装置。
【請求項５】
前記ビジネスインテリジェンス部は、
複数の検索結果から出力された複数のレポートを同一画面上に配置したダッシュボードを構成することができ、
ダッシュボード内の１つのレポートの検索結果に含まれるデータが選択された場合には、選択されたデータに対応する見出し項目及び表示値をダッシュボード内の他のレポートに引き継ぎ、
他のレポートの検索要求の抽出条件に引き継がれた見出し項目と関連付けられた項目が存在する場合には、その抽出条件の条件値を引き継がれた表示値に置き換えて、検索要求を実行して新たな検索結果を表示することにより、ダッシュボード内の複数のレポートを連動して操作することができる
請求項３に記載のデータ検索装置。
【請求項６】
前記ビジネスインテリジェンス部の前記レポート出力手段は、
検索要求が、分類が可能な複数の見出し項目（ディメンジョン）と、集約が可能な１以上の値項目（メジャー）を含む場合には、集約レベルが同一である見出し項目の組み合わせについて一体として集約操作を行うものであり、
前記集約レベルが２以上設定されている場合において、
ある集約レベルでの検索結果を前記利用者端末に表示するときには、見出し項目については前記ある集約レベルより上位の見出し項目のみに値を表示し、値項目については前記ある集約レベルより上位の見出し項目のみで集約した集計値を表示するようにし、
前記利用者端末が前記ある集約レベルの検索結果の特定のデータを選択したときには、選択した特定のデータの表示されている見出し項目と同一の見出し項目を持つ１つ下位の集約レベルの明細レコードを前記利用者端末に表示する
請求項２に記載のデータ検索装置。
【請求項７】
前記ビジネスインテリジェンス部は、
前記利用者端末が一度作成した検索要求を保存しておき、読み込んで再利用することができるライブラリ管理手段を有し、
ライブラリ管理手段を利用できる前記利用者端末を、利用者の権限に応じて設定することにより、利用目的に応じて検索要求を共有することができる
請求項２に記載のデータ検索装置。
【請求項８】
前記ビジネスインテリジェンス部は、
検索要求に対応する検索結果を、前記利用者端末の指定により、一定期間あるいは一定履歴回数、保存することができる検索履歴管理手段を有し、
前記利用者端末において、ライブラリの中から検索要求を指定すると、その検索要求に対応する検索結果が一覧表示され、
その中から検索結果を指定することにより、検索結果を直接参照することができる
請求項２に記載のデータ検索装置。
【請求項９】
前記検索要求発行手段は、
関連する複数の項目を一つの概念であらわす集合項目を扱うことができ、
前記集合項目を検索要求の抽出条件に指定する場合には、前記集合項目に含まれる前記関連する複数の項目の値を参照しつつ条件値の設定ができるとともに、
前記集合項目を検索結果の表示項目に追加する前記利用者端末の入力操作により、前記集合項目に含まれる前記関連する複数の項目が自動的に検索結果の表示項目に追加される
請求項２に記載のデータ検索装置。
【請求項１０】
前記検索要求発行手段の前記集合項目は、
互いに階層関係にある１以上の項目から構成され、
前記利用者端末の画面において、上位レベルの項目の値が一覧で表示されている中から１つの値を選択すると、その値に関連付けられている下位レベルの項目の値が一覧で表示され、
前記利用者端末は、任意のレベルの一覧で表示された値の中から、検索の抽出条件とする値を指定することができる
請求項９に記載のデータ検索装置。
【請求項１１】
コンピュータを、検索命令に応答して検索データを返す２以上のデータベースをデータソースとするデータ検索装置として機能させるプログラムであって、
前記コンピュータを、
利用者端末を入力支援して検索要件に適合する検索要求を発行するためのプレゼンテーション構造の定義情報と、異なる検索要求間の関連性を管理するための検索要求の定義情報と、を含むデータ辞書と、
前記データ辞書で定義された前記プレゼンテーション構造に基づいて前記利用者端末を入力支援して、前記プレゼンテーション構造に基づき記述された検索要求を発行するとともに、当該検索要求に基づいて前記データベースから得られた検索結果を、前記利用者端末に対して出力するビジネスインテリジェンス部と、を含み、
異なる検索要求に対応して作成された複数の検索結果を、前記検索要求の定義情報により関連付ける
データ検索装置として機能させるプログラム。
【請求項１２】
請求項１１に記載のプログラムを格納したコンピュータが読み取り可能な記録媒体。
【請求項１３】
検索命令に応答して検索データを返す２以上のデータベースをデータソースとするデータ検索方法であって、
利用者端末を入力支援して検索要件に適合する検索要求を発行するためのプレゼンテーション構造の定義情報と、異なる検索要求間の関連性を管理するための検索要求の定義情報とをデータ辞書に記憶させておき、
前記データ辞書で定義された前記プレゼンテーション構造に基づいて前記利用者端末を入力支援して、前記プレゼンテーション構造に基づき記述された検索要求を発行するとともに、当該検索要求に基づいて前記データベースから得られた検索結果を、前記利用者端末に対して出力し、
異なる検索要求に対応して作成された複数の検索結果を、前記検索要求の定義情報により関連付ける
データ検索方法。